(57)【特許請求の範囲】
【請求項１】
回転軸部２０；
前記回転軸部２０の片側で前記回転軸部２０と連結されたハンドル部３０；及び
前記回転軸部２０の反対側で前記回転軸部２０と連結された一対の掴み部１０Ａ、１０Ｂ；を含む汎用プライヤにおいて、
前記掴み部１０Ａ、１０Ｂはスプリットリング挿入部１１を含み、
前記スプリットリング挿入部１１は、一対の掴み部の片方１０Ａの回転軸部側とは反対側の端部で前記汎用プライヤの縦軸（Ｌ軸）の垂直方向に突出する下部支持部１１Ｂ、及び前記下部支持部１１Ｂの上部で前記垂直方向に延びて先細りになるテーパー部１１Ａを含み、
前記テーパー部１１Ａ及び前記下部支持部１１Ｂは、回転軸部側の側面に形成された凸設部１１Ｃを含み、
前記一対の掴み部の他方１０Ｂの端部は、前記下部支持部１１Ｂ及び前記テーパー部１１Ａ側面の凸設部１１Ｃをガイドするように形成された凹設部１１Ｄを含む
ことを特徴とする汎用プライヤ１００。
【請求項２】
前記下部支持部１１Ｂの上面１１Ｂｂの大きさは、前記テーパー部１１Ａの底面１１Ａａの大きさより大きく、
前記スプリットリング挿入部１１のテーパー部１１Ａの尖った頂部がスプリットリング２００の巻かれた部分の間２１０に挿し込まれた後、前記テーパー部１１Ａが前記巻かれた部分の間２１０を進行しながら間隔が広がり、
前記テーパー部１１Ａが前記底面１１Ａａまで進行し、前記下部支持部１１Ｂの上面１１Ｂｂがスプリットリング２００の巻かれた部分の間２１０の広がった状態を支持しながら前記広がった状態をさらに広げられることを特徴とする請求項１に記載の汎用プライヤ１００。
【請求項３】
前記一対の掴み部の他方１０Ｂの端部は、両側面に凹状に形成されたスプリットリング引っ掛け部１１Ｅを含むことを特徴とする請求項１または請求項２に記載の汎用プライヤ１００。
【発明の詳細な説明】
【技術分野】
【０００１】
本発明は、汎用プライヤ、特に捩れの少ない広範囲スプリットリングプライヤに関する。
【背景技術】
【０００２】
プライヤは、古代ヨーロッパの青銅器時代に高温の金属を扱うために使用された矢床から由来するものであって、対象物を堅固に掴むために用いられるハンドツールである。
【０００３】
プライヤは多様な範囲の材料から成る物体を曲げたり圧縮したり切断したりするために使用される。回転軸を中心に片側は一対の掴み部を構成し、反対側は一対のハンドル部を構成し、ハンドルに力を加えれば回転軸を中心に掴み部が動く。
前記掴み部及びハンドルは、回転軸を中心にてこの原理で力を作用させる。
【０００４】
本発明は、従来のプライヤに釣りの準備段階で求められる様々な機能を集約構成したプライヤに関するが、釣りに限定されず、多様な分野に適用することができる。
【０００５】
釣りの準備段階ではポリエチレンライン（釣り糸）、カーボンライン、ナイロンラインのような釣り糸を切断したり、ワイヤ及びワイヤを含むラインを切断する機能、及び釣り用餌及び釣り針をスプリットリングに固定するための機能など多様な機能を必要とする。本発明は、このような多様な機能を備えたプライヤに関する。
特許文献１及び特許文献２に釣り用プライヤが開示されているが、スプリットリングに対する機能及び捩れ防止機能については開示されていない。
【先行技術文献】
【特許文献】
【０００６】
【特許文献１】韓国実用新案登録第２０−０２０２７３２号
【特許文献２】韓国実用新案登録第２０−０２９６９６５号
【発明の概要】
【発明が解決しようとする課題】
【０００７】
本発明は、従来のプライヤに釣りの準備段階で求められる様々な機能を集約して構成し、特にスプリットリングに釣り用擬似餌または釣り用針を固定するときに使用できるプライヤを提供することを目的とする。
【０００８】
また、本発明は、スプリットリングの巻かれた部分を開く過程で発生する捩れ力または釣り糸用ラインなどの切断過程で発生する捩れ力を支持できるプライヤを提供することを目的とする。
また、本発明は、摩耗した部分を容易に入れ替えることができるプライヤを提供することを目的とする。
また、本発明は、軽くて容易に作動可能なプライヤを提供することを目的とする。
【課題を解決するための手段】
【０００９】
本発明は、回転軸部２０；前記回転軸部２０の片側で前記回転軸部２０と連結されたハンドル部３０；及び前記回転軸部２０の反対側で前記回転軸部２０と連結された一対の掴み部１０Ａ、１０Ｂを含む汎用プライヤ１００において、前記掴み部１０Ａ、１０Ｂはスプリットリング挿入部１１を含み、前記スプリットリング挿入部１１は、一対の掴み部の片方１０Ａの回転軸部側とは反対側の端部で前記汎用プライヤの縦軸（Ｌ軸）の垂直方向に突出する下部支持部１１Ｂ、前記下部支持部１１Ｂの上部で前記垂直方向に延びて先細りになるテーパー部１１Ａ、前記テーパー部１１Ａ及び前記下部支持部１１Ｂの回転軸部側の側面に形成された凸設部１１Ｃ、前記一対の掴み部の他方１０Ｂの端部に形成されて前記下部支持部１１Ｂ及び前記テーパー部１１Ａ側面の凸設部１１Ｃをガイドする凹設部１１Ｄ、及び前記凹設部１１Ｄの両側面で凹状に形成されたスプリットリング引っ掛け部１１Ｅを含み、前記下部支持部１１Ｂの上面の大きさは前記テーパー部１１Ａの底面の大きさと同一であるか又は大きく、前記テーパー部１１Ａを用いてスプリットリング２００の巻かれた部分の間２１０を開くことを特徴とする。
【００１０】
本発明において、前記一対の掴み部１０Ａ、１０Ｂのそれぞれはスプリットリング挿入部１１から回転軸部側に隣接する所に凹凸部１２をさらに含み、前記一対の掴み部１０Ａ、１０Ｂのそれぞれのスプリットリング挿入部１１及び凹凸部１２は一体的に形成され、前記一対の掴み部１０Ａ、１０Ｂのそれぞれの一体型スプリットリング挿入部１１及び凹凸部１２にはガイド溝１２Ｆが形成され、一対の掴み部１０Ａ、１０Ｂのそれぞれの底面にはガイド突出部１２Ｅが形成され、前記一対の掴み部１０Ａ、１０Ｂのそれぞれの一体型スプリットリング挿入部１１及び凹凸部１２が前記一対の掴み部１０Ａ、１０Ｂのそれぞれの底面に組み立てられるとき、前記ガイド突出部１２Ｅが前記ガイド溝１２Ｆに挿入されて左右に揺れることを防止することができる。
【発明の効果】
【００１１】
本発明の汎用プライヤによれば、掴み部にスプリットリングの巻かれた部分を開くことができるスプリットリング挿入部を構成することで、スプリットリングに釣り針または擬似餌を容易に取り付けることができる。
また、本発明の汎用プライヤは、釣り用品に限定されず、その他スプリットリングを用いる製品に使用することができる。
【００１２】
また、本発明の汎用プライヤは、掴み部及びハンドル部の少なくとも一方に捩れ防止部を備えることで、スプリットリングの巻かれた部分を開く過程または釣り糸用ラインなどの切断過程で発生する捩れ力を支持することができる。
また、本発明のプライヤの部品のうち摩耗部品はねじ結合式で組み立てられるため、容易に入れ替えることができる。
また、本発明のプライヤは、ハンドルに多数の空洞、凹部及び凸部を形成することで、重量を減らして容易に作動することができる。
【図面の簡単な説明】
【００１３】
【図１】本発明の汎用プライヤの平面図である。
【図２】本発明の汎用プライヤの分解図である。
【図３ａ】本発明の汎用プライヤのスプリットリング挿入部の拡大図である。
【図３ｂ】本発明のスプリットリング挿入部の進行過程を示した図である。
【図３ｃ】本発明のスプリットリング挿入部の進行過程を示した図である。
【図３ｄ】本発明のスプリットリング挿入部の進行過程を示した図である。
【図４ａ】本発明の汎用プライヤを用いてスプリットリングに擬似餌を取り付ける方法を示した図である。
【図４ｂ】本発明の汎用プライヤを用いてスプリットリングに擬似餌を取り付ける方法を示した図である。
【図４ｃ】本発明の汎用プライヤを用いてスプリットリングに擬似餌を取り付ける方法を示した図である。
【図５】本発明の汎用プライヤの捩れ防止部１６、３１の拡大図である。
【図６】本発明のスプリットリング挿入部１１及び凹凸部１２が挿入され組み立てられる掴み部の底面を示した図である。
【図７ａ】テーパー部１１Ａ、下部支持部１１Ｂ及び凸設部１１Ｃが凹凸部１２と一体的に形成されて掴み部に挿入される構成を示した図である。
【図７ｂ】凹設部１１Ｄ及びスプリットリング引っ掛け部１１Ｅが凹凸部１２と一体的に形成されて掴み部に挿入される構成を示した図である。
【図７ｃ】スプリットリング２００がスプリットリング引っ掛け部１１Ｅに掛けられた状態を示した図である。
【図８】釣り針調整部を示した図である。
【図９】調整される釣り針を示した図である。
【発明を実施するための形態】
【００１４】
図１は本発明の汎用プライヤの平面図である。
本発明の汎用プライヤは、回転軸部２０を中心に片側には掴み部１０が構成され、反対側にはハンドル部３０が構成される。
【００１５】
一対のハンドル部３０Ａ、３０Ｂを握ったり広げながら力を加えれば、回転軸部２０を中心に掴み部１０が開いたり閉じられながら、掴み部の多様な機能が作動する。
【００１６】
掴み部１０は、スプリットリング挿入部１１、凹凸部１２、捩れ防止部１３、ラインカッター部１４、ワイヤカッター部１５、及び捩れ防止部１６で構成され、多様な機能を有する。回転軸部２０の側面には潤滑油供給口２１が設けられ、ハンドル部３０には追加的な捩れ防止部３１が設けられている。それぞれの機能を説明すれば、次のようである。
【００１７】
スプリットリング挿入部１１は、掴み部１０の回転軸部２０側とは反対側の端部に形成され、一対の掴み部１０の片方１０Ａで汎用プライヤの縦軸（Ｌ軸）の垂直方向に突出する部分と、掴み部１０の他方１０Ｂで前記突出する部分を収容する部分とからなる。
【００１８】
図３ａを参照して前記スプリットリング挿入部１１を詳しく説明すれば、掴み部１０の片方１０Ａの端部は、先細りになるテーパー部１１Ａと、前記テーパー部１１Ａの底面１１Ａａより大きいか又は同じ大きさの上面１１Ｂｂを有する下部支持部１１Ｂ、及びテーパー部１１Ａ及び下部支持部１１Ｂの側面の凸設部１１Ｃからなり、前記掴み部１０の他方１０Ｂの端部は、前記凸設部１１Ｃを収容する凹設部１１Ｄ、及び前記凹設部１１Ｄの側面でスプリットリング２００の位置を固定するスプリットリング引っ掛け部１１Ｅからなる。
前記一対の掴み部１０の他方１０Ｂの長さは、前記下部支持部１１Ｂが形成された掴み部の片方１０Ａの長さより前記下部支持部１１Ｂの幅ほど短い。
【００１９】
図３ｂないし図３ｄを見れば、掴み部が閉じられる場合、掴み部１０の片方１０Ａの凸設部１１Ｃが掴み部１０の他方１０Ｂの凹設部１１Ｄに沿って閉じられることが分かる。
このように、掴み部１０の片方１０Ａの凸設部１１Ｃと掴み部１０の他方１０Ｂの凹設部１１Ｄはガイドレールのような機能を果たす。
望ましくは、テーパー部１１Ａの端面と下部支持部１１Ｂの端面とは不連続的に構成される。
【００２０】
前記テーパー部１１Ａは尖った形状でなるため、図４ａのように円形に巻かれているスプリットリング２００の巻かれた部分の間２１０に容易に挿し込むことができる。
【００２１】
前記テーパー部１１Ａの尖った頂部が図４ａのように巻かれているスプリットリングの巻かれた部分の間２１０に挿し込まれ、その後、前記下部支持部１１Ｂの一部がスプリットリングに挿し込まれてスプリットリングの巻かれた部分の間２１０が広くなれば、図４ｂのように擬似餌３００に連結されたリング３１０を前記巻かれた部分の間に挿し込む。
【００２２】
図４ｂのように擬似餌３００のリング３１０をスプリットリング２００の巻かれた部分の間２１０に挿し込んだ後、図４ｃのように前記リング３１０を前記巻かれた部分の間２１０に沿って進行させれば、前記スプリットリング２００に前記擬似餌３００のリング３１０が取り付けられることになる。
【００２３】
このように、本発明のスプリットリング挿入部１１は、汎用プライヤの縦軸（Ｌ軸）に垂直方向に尖った形状に突出し、スプリットリング２００に擬似餌３００のリング３１０を連結することができる。
本発明のスプリットリング挿入部１１は、望ましくは内径３ｍｍ〜１２ｍｍのスプリットリングを開くときに使用することができる。
【００２４】
図７ｂ及び図７ｃを見れば、スプリットリング挿入部１１のテーパー部１１Ａがスプリットリング２００の巻かれた部分の間２１０に挿し込まれて巻かれた部分を開く過程で、スプリットリング２００の位置を維持するため、凹設部１１Ｄの両側面には凹状のスプリットリング引っ掛け部１１Ｅが形成されている。
【００２５】
前記スプリットリング引っ掛け部１１Ｅは内径３ｍｍのように小さいサイズのスプリットリングに適するが、それより大きいサイズのスプリットリングも前記スプリットリング引っ掛け部１１Ｅに位置させてテーパー部１１Ａによって巻かれた部分の間を開くことができる。
【００２６】
前記スプリットリング挿入部１１のテーパー部１１Ａは、円錐、三角錐、四角錐のように多様な形状で形成でき、同様に前記下部支持部１１Ｂも円錐、三角錐、四角錐のように多様な形状で形成することができる。
【００２７】
また、本発明のスプリットリング挿入部１１は、擬似餌だけでなく、釣り針に連結されたリング及びその他の用途のリングを連結することにも使用することができる。例えば、キーホルダに連結されたスプリットリングにも本発明のスプリットリング挿入部１１を使用することができる。
【００２８】
また、本発明の汎用プライヤ１００には、前記スプリットリング挿入部１１から回転軸部側に隣接する所に凹凸部１２が形成される。前記凹凸部１２は多数の凹凸を有しており、針、スプリットリングなどを滑らず掴めるようにする。
【００２９】
また、前記凹凸部１２の回転軸部側に隣接する所には捩れ防止部１３が形成されている。前記捩れ防止部１３は、一対の掴み部１０の片方１０Ａに形成された縦軸（Ｌ軸）の垂直方向に突出したピン１３Ａと、前記ピン１３Ａを収容する掴み部１０の他方１０Ｂに形成された収容空洞とからなる。
【００３０】
前記スプリットリング挿入部１１がスプリットリングの巻かれた部分の間２１０に挿し込まれるとき、捩れ力が汎用プライヤに作用して汎用プライヤが捩れることがあり得るが、前記捩れ防止部１３の突出したピン１３Ａが前記収容空洞に収容されながら捩れ力を相殺することができる。前記捩れ力はスプリットリング挿入部１１だけでなく、ラインカッター部１４及びワイヤカッター部１５で切断が行われるときにも発生し得る。
また、本発明では、図５のように回転軸部２０に隣接した掴み部１０及びハンドル部３０側に捩れ防止部１６、３１が形成されている。
【００３１】
前記捩れ防止部１６、３１は、一対の円形板１６Ａ、１６Ｂ；３１Ａ、３１Ｂが相互支持する形態で互いに力を働かせて、汎用プライヤに加えられる捩れ力を相殺させる。
【００３２】
このように本願発明では捩れ防止部１３、１６、３１を設けて、従来汎用プライヤの回転軸部２０で作用する捩れ力を支持することで、製品寿命を延ばすことができる。
また、掴み部１０の捩れ防止部１３から回転軸部２０側に隣接する所にラインカッター部１４及びワイヤカッター部１５が形成されている。
【００３３】
ラインカッター部１４はポリエチレンライン、カーボンライン及びナイロンラインのような釣り糸を切断する機能を備え、ワイヤカッター部１５はワイヤまたはワイヤを含むラインのように高剛性材料を切断する機能を備える。
【００３４】
前記ワイヤカッター部１５には多数の溝が形成されている。ワイヤカッター部１５で切断するワイヤまたはワイヤを含むラインは剛性が高く、切断中に滑ることがあり得るため、多数の溝を形成し、前記溝にワイヤ及びワイヤを含むラインが置かれた状態で切断するようにして、切断中の滑りを防止することができる。
【００３５】
また、図２を見れば、ワイヤカッター部１５、ラインカッター部１４、凹凸部１２及びスプリットリング挿入部１１は、ボルト孔１５Ｃ、１４Ｃ、１２Ｃと螺糸山を有する孔１５Ｄ、１４Ｄ、１２Ｄとからなるねじ結合によって分解組立が可能になっている。それにより、切断部、溝を有する部分及びスプリットリング挿入部１１のテーパー部分が繰り返される使用によって鈍磨したとき、該当部分のみを容易に入れ替えることができる。
【００３６】
図６は、スプリットリング挿入部１１及び凹凸部１２が挿入され組み立てられる一対の掴み部１０Ａ、１０Ｂの底面を示した図である。また、図７ａはテーパー部１１Ａ、下部支持部１１Ｂ及び凸設部１１Ｃが凹凸部１２と一体的に形成されて、図６の底面に組み立てられた構成を、図７ｂは凹設部１１Ｄ及びスプリットリング引っ掛け部１１Ｅが凹凸部１２と一体的に形成されて、図６の底面に組み立てられた構成を示した図である。
【００３７】
図７ａ及び図７ｂのボルト孔１２Ｃは、それぞれ図６のボルト孔１２Ｄと重なってボルト連結されるものであり、それぞれ図２のボルト孔１２Ｃ及び１２Ｄと同じものである。
【００３８】
図７ａ及び図７ｂの構成にはガイド溝１２Ｆが４個それぞれ形成され、図６の構成には前記ガイド溝１２Ｆに挿入されるガイド突出部１２Ｅが形成されて、組み立てられるとき左右に揺れることを防止する。
また、本発明では回転軸部２０の側面に潤滑油（ｇｒｅａｓｅ）供給口を設け、前記供給口から本発明の汎用プライヤに潤滑油を供給することができる。
また、本発明では、全体重量を軽くするため、ハンドル部には多数の空洞３２を設け、ハンドル部には使用中に滑らないように凹部及び凸部が形成される。
【００３９】
また、ハンドル部３０には、曲がった釣り針の傾きを調整する釣り針調整部３３がさらに設けられている。図８は釣り針調整部３３の拡大図であり、図９のように曲がった釣り針を前記調整部３３に挿し込んで釣り針を調整するようになる。
また、本発明の材質は、アルミニウム、タングステン、ステンレス、チタンなどの金属及び焼結金属からなることが望ましい。
【００４０】
以上、本発明を具体的な構成要素などの特定事項と限定された実施例及び図面に基づいて説明したが、これは本発明のより全般的な理解を助けるために提供されたものに過ぎず、記載された実施例によって本発明が限定されることはなく、本発明が属する分野で通常の知識を持つ者であればこのような記載から多様に修正及び変形することができる。したがって、本発明の思想は記載された実施例に限定されるものではなく、添付の特許請求の範囲だけでなく、特許請求の範囲と均等又は等価的変形の全てが本発明の思想の範疇に属することは言うまでもない。
【符号の説明】
【００４１】
１００  汎用プライヤ
１０  掴み部
２０  回転軸部
３０  ハンドル部
１１  スプリットリング挿入部
１２  凹凸部
１３  捩れ防止部
１４  ラインカッター部
１５  ワイヤカッター部
２１  潤滑油供給口
３１  捩れ防止部
３２  空洞部
【図１】
0006040330.tif 000002
【図２】
0006040330.tif 000003
【図３ａ】
0006040330.tif 000004
【図３ｂ】
0006040330.tif 000005
【図３ｃ】
0006040330.tif 000006
【図３ｄ】
0006040330.tif 000007
【図４ａ】
0006040330.tif 000008
【図４ｂ】
0006040330.tif 000009
【図４ｃ】
0006040330.tif 000010
【図５】
0006040330.tif 000011
【図６】
0006040330.tif 000012
【図７ａ】
0006040330.tif 000013
【図７ｂ】
0006040330.tif 000014
【図７ｃ】
0006040330.tif 000015
【図８】
0006040330.tif 000016
【図９】
0006040330.tif 000017